(57)【要約】【課題】楽譜情報の詳細な内容を効率的に確認または編集する。【解決手段】記憶装置１２は、指定音の合成に適用される情報を含む複数種の制御情報を指定音毎に時系列に配列した楽譜情報ＤSを記憶する。表示制御部２４は、行列状に配列された複数の単位領域５２の各々に楽譜情報ＤSの各制御情報を配置した編集用図表５０を表示装置１６に表示させる。情報管理部２６は、編集用図表５０の各単位領域５２に対する利用者からの指示に応じて楽譜情報ＤSのうち当該単位領域５２に対応する制御情報を変更する。【選択図】図１
2011221423.tif 000002
【特許請求の範囲】
【請求項１】
指定音の合成に適用される情報を含む複数種の制御情報を指定音毎に時系列に配列した楽譜情報を記憶する記憶手段と、
行列状に配列された複数の単位領域の各々に前記楽譜情報の前記各制御情報を配置した編集用図表を表示装置に表示させる表示制御手段と、
前記編集用図表の各単位領域に対する利用者からの指示に応じて前記楽譜情報のうち当該単位領域に対応する制御情報を変更する情報管理手段と
を具備する情報編集装置。
【請求項２】
前記楽譜情報は、指定音の音高を前記制御情報として含み、
前記表示制御手段は、前記楽譜情報が示す音高に応じて第１方向の位置が決定された音指示子を指定音毎に第２方向に配列した楽譜画像を前記編集用図表とともに前記表示装置に表示させ、前記楽譜画像のうち利用者が選択した指定音の音指示子を他の音指示子とは相違する態様で表示し、かつ、前記編集用図表のうち当該指定音の単位領域を他の単位領域とは相違する態様で表示する
請求項１の情報編集装置。
【請求項３】
前記情報管理手段は、前記楽譜情報のうち利用者が前記編集用図表にて選択した複数の単位領域に対応する制御情報を前記楽譜情報内で複製または移動する
請求項１または請求項２の情報編集装置。
【請求項４】
前記楽譜情報は、指定音の発音文字および音声記号と当該音声記号の変更の許可／禁止を指定する音声管理情報とを前記制御情報として含み、
前記情報管理手段は、前記音声管理情報が前記音声記号の変更の禁止を指定する指定音の音声記号を、前記指定音の発音文字が変更された場合にも維持する
請求項１から請求項３の何れかの情報編集装置。
【請求項５】
前記楽譜情報は、指定音の合成に使用される音声素片の波形の表示／非表示を指定する波形管理情報を前記制御情報として含み、
前記表示制御手段は、前記波形管理情報が波形の表示を指定する音声素片の波形が配置された波形画像を前記編集用図表とともに前記表示装置に表示させ、
前記情報管理手段は、前記波形画像に対する利用者からの指示に応じて当該音声素片の波形を調整する
請求項１から請求項４の何れかの情報編集装置。
【発明の詳細な説明】
【技術分野】
【０００１】
本発明は、音声合成（特に歌唱合成）に適用される楽譜情報を編集する技術に関する。
【背景技術】
【０００２】
指定音の合成に適用される制御情報（例えば音高や発音文字）を時系列に指定する楽譜情報を利用者からの指示に応じて編集する技術が従来から提案されている。例えば特許文献１には、各指定音を図形化した音指示子を音高軸および時間軸のもとで配列した楽譜画像（ピアノロール画像）を表示装置に表示し、楽譜画像に対する利用者からの指示に応じて各指定音の制御情報を編集する技術が開示されている。
【先行技術文献】
【特許文献】
【０００３】
【特許文献１】特開２００４−２５８５６４号公報
【発明の概要】
【発明が解決しようとする課題】
【０００４】
しかし、特許文献１に開示された楽譜画像では表示内容が制約されるから、楽譜情報の詳細な内容を利用者が確認できないという問題がある。以上の事情を考慮して、本発明は、楽譜情報の詳細な内容を効率的に確認または編集することを目的とする。
【課題を解決するための手段】
【０００５】
以上の課題を解決するために、本発明の情報編集装置は、指定音の合成に適用される情報を含む複数種の制御情報を指定音毎に時系列に配列した楽譜情報を記憶する記憶手段と、行列状に配列された複数の単位領域の各々に楽譜情報の各制御情報を配置した編集用図表を表示装置に表示させる表示制御手段と、編集用図表の各単位領域に対する利用者からの指示に応じて楽譜情報のうち当該単位領域に対応する制御情報を変更する情報管理手段とを具備する。以上の構成では、楽譜情報の各制御情報が編集用図表として表形式で表示され、編集用図表内の各単位領域に対する利用者からの指示に応じて当該単位領域内の制御情報が更新される。したがって、楽譜画像のみが表示される構成と比較して、楽譜情報の詳細な内容を利用者が効率的に確認しながら編集することが可能である。
【０００６】
本発明の好適な態様において、楽譜情報は、指定音の音高を制御情報として含み、表示制御手段は、楽譜情報が示す音高に応じて第１方向の位置が決定された音指示子を指定音毎に第２方向に配列した楽譜画像を編集用図表とともに表示装置に表示させ、楽譜画像のうち利用者が選択した指定音の音指示子を他の音指示子とは相違する態様で表示し、かつ、編集用図表のうち当該指定音の単位領域を他の単位領域とは相違する態様で表示する。以上の態様においては、利用者が選択した指定音の音指示子および単位領域が強調表示されるから、楽譜画像内の各音指示子と編集用図表内の各単位領域との対応を利用者が容易に確認できるという利点がある。なお、画像の表示の態様とは、観察者が視覚的に識別できる画像の状態を意味する。例えば、画像の形状や寸法，階調の濃淡，表示色（色相，明度，彩度），模様，またはこれらの組合せが、画像の態様の概念に包含される。
【０００７】
本発明の好適な態様において、情報管理手段は、楽譜情報のうち利用者が編集用図表にて選択した複数の単位領域に対応する制御情報を楽譜情報内で複製または移動する。以上の態様においては、編集用図表内の複数の単位領域にわたる既存の制御情報（特に発音文字）について楽譜情報内での複製または移動が可能であるから、指定音毎に制御情報を個別に変更する必要がある構成と比較して楽譜情報を効率的に編集できるという利点がある。
【０００８】
本発明の好適な態様において、楽譜情報は、指定音の発音文字および音声記号と当該音声記号の変更の許可／禁止を指定する音声管理情報とを制御情報として含み、情報管理手段は、音声管理情報が音声記号の変更の禁止を指定する指定音の音声記号を、指定音の発音文字が変更された場合にも維持する。以上の態様では、音声管理情報が音声記号の変更の禁止を指定する指定音の音声記号が発音文字の変更時にも維持されるから、特定の音声記号を固定したまま楽譜情報の各発音文字を編集することが可能である。なお、以上の態様の具体例は例えば第２実施形態として後述される。
【０００９】
本発明の好適な態様において、楽譜情報は、指定音の合成に使用される音声素片の波形の表示／非表示を指定する波形管理情報を制御情報として含み、表示制御手段は、波形管理情報が波形の表示を指定する音声素片の波形が配置された波形画像を編集用図表とともに表示装置に表示させ、情報管理手段は、波形画像に対する利用者からの指示に応じて当該音声素片の波形を調整する。以上の態様では、表示管理情報が表示を指定する音声素片の波形が表示装置に表示されて利用者からの指示に応じて編集されるから、音声素片の波形を利用者が容易に把握して所望の特性に効率的に調整できるという利点がある。なお、以上の態様の具体例は例えば第３実施形態として後述される。
【００１０】
以上の各態様に係る情報編集装置は、情報の編集に専用されるＤＳＰ（Digital Signal Processor）などのハードウェア（電子回路）で実現されるほか、ＣＰＵ（Central Processing Unit）などの汎用の演算処理装置とプログラムとの協働でも実現される。本発明のプログラムは、指定音の合成に適用される情報を含む複数種の制御情報を指定音毎に時系列に配列した楽譜情報を記憶する記憶手段を具備するコンピュータに、行列状に配列された複数の単位領域の各々に楽譜情報の各制御情報を配置した編集用図表を表示装置に表示させる表示制御処理と、編集用図表の各単位領域に対する利用者からの指示に応じて楽譜情報のうち当該単位領域に対応する制御情報を変更する情報管理処理とを実行させる。以上のプログラムによれば、本発明の情報編集装置と同様の作用および効果が実現される。本発明のプログラムは、コンピュータが読取可能な記録媒体に格納された形態で利用者に提供されてコンピュータにインストールされるほか、通信網を介した配信の形態でサーバ装置から提供されてコンピュータにインストールされる。
【図面の簡単な説明】
【００１１】
【図１】本発明の第１実施形態に係る音響処理装置のブロック図である。
【図２】楽譜情報の模式図である。
【図３】楽譜画像の模式図である。
【図４】編集用図表の模式図である。
【図５】制御情報（発音文字）の追加を説明するための模式図である。
【図６】制御情報（発音文字）の削除を説明するための模式図である。
【図７】素片属性の変更が指示された場合の編集用図表の模式図である。
【図８】第２実施形態における編集用図表の模式図である。
【図９】第２実施形態の動作の説明図である。
【図１０】第２実施形態の動作の説明図である。
【図１１】第３実施形態における編集用図表の模式図である。
【図１２】第３実施形態の波形画像の模式図である。
【発明を実施するための形態】
【００１２】
＜Ａ：第１実施形態＞
図１は、本発明の第１実施形態に係る音響処理装置１００のブロック図である。音響処理装置１００は、複数の指定音を時系列に配列した歌唱音等の音声（以下「合成音」という）を生成する音声合成装置であり、図１に示すように、演算処理装置１０と記憶装置１２と入力装置１４と表示装置１６と放音装置１８とを具備するコンピュータシステムで実現される。
【００１３】
演算処理装置（ＣＰＵ）１０は、記憶装置１２に記憶されたプログラムＰGの実行で、音響信号ＳOUTの生成に必要な複数の機能（音響生成部２２，表示制御部２４，情報管理部２６）を実現する。音響信号ＳOUTは、合成音の時間軸上の波形を示す信号である。なお、演算処理装置１０の各機能を専用の電子回路（ＤＳＰ）で実現した構成や、演算処理装置１０の各機能を複数の集積回路に分散した構成も採用され得る。
【００１４】
入力装置１４は、利用者からの指示を受付ける機器（例えばマウスやキーボード）である。表示装置１６（例えば液晶表示装置）は、演算処理装置１０から指示された画像を表示する。放音装置１８（例えばスピーカやヘッドホン）は、演算処理装置１０が生成する音響信号ＳOUTに応じた合成音を再生する。
【００１５】
記憶装置１２は、演算処理装置１０が実行するプログラムＰGや演算処理装置１０が使用する各種のデータ（素片群ＤV，楽譜情報ＤS）を記憶する。半導体記録媒体や磁気記録媒体等の公知の記録媒体または複数種の記録媒体の組合せが記憶装置１２として任意に採用される。なお、複数の記録媒体にプログラムＰGや各データ（ＤV，ＤS）を分散して記憶した構成も採用され得る。
【００１６】
素片群ＤVは、相異なる音声素片に対応する多数の素片データｄの集合（ライブラリ）である。素片データｄは、音声素片の波形や特徴量を示すデータであり、合成音の素材として利用される。音声素片は、聴覚的に区別できる最小の単位である音素、または複数の音素を連結した音素連鎖である。相異なる属性（以下「素片属性」という）に対応する複数の素片データｄが音声素片毎に用意される。本実施形態では、音声素片の音高と音量と発声者とを素片属性として例示する。すなわち、音高と音量と発声者との組合せ（素片属性）毎に素片データｄが記憶装置１２に記憶される。
【００１７】
楽譜情報ＤSは、指定音を時系列に指定する情報（スコアデータ）であり、図２に示すように、相異なる指定音に対応する複数の単位情報Ｕの時系列で構成される。各単位情報Ｕは、音符情報ＵNと文字情報ＵLと１個以上の素片情報ＵVとを含む。音符情報ＵNは、指定音の音符を指定する情報であり、指定音の開始点と継続長と音高とを含んで構成される。文字情報ＵLは、指定音の発音の内容を指定する情報であり、発音文字（歌詞の音節）と音声記号（phonetic）とを含んで構成される。音声記号（例えばSAMPA(Speech Assessment Methods Phonetic Alphabet)記号）は、発音文字に応じて自動的に設定される。素片情報ＵVは、指定音の合成に使用される素片データｄを指定する情報であり、指定音の合成に必要な音声素片毎に素片識別子と素片属性（音高，音量，発声者）とを含んで構成される。素片識別子は、音声素片を識別するための符号（素片名）である。図２の記号「Sil」は無音を意味する。
【００１８】
以上に説明したように、楽譜情報ＤSは、指定音を規定する複数種の制御情報（開始点，継続長，音高，発音文字，音声記号，素片識別子，素片属性）を指定音毎に時系列に配列して構成される。図２から把握されるように、楽譜情報ＤSは、複数の音符情報ＵNの時系列と複数の文字情報ＵLの時系列と複数の素片情報ＵVの時系列との集合としても把握され得る。
【００１９】
入力装置１４に対する操作で利用者が合成音の生成を指示すると、図１の音響生成部２２は、記憶装置１２に記憶された素片群ＤVおよび楽譜情報ＤSを利用して各指定音の音響信号ＳOUTを生成する。具体的には、音響生成部２２は、素片群ＤVのうち楽譜情報ＤSの素片識別子および素片属性に対応する素片データｄを音符情報ＵNで規定される継続長および音高に調整し、調整後の素片データｄを音符情報ＵNで規定される開始点に配置したうえで相互に連結することで音響信号ＳOUTを生成（音声合成）する。音響生成部２２が生成した音響信号ＳOUTは、放音装置１８に供給されることで音響として再生される。
【００２０】
図１の表示制御部２４は、楽譜情報ＤSの生成や編集のために利用者が視認する図３の楽譜画像４０と図４の編集用図表５０とを生成して表示装置１６に表示させる。図３に示すように、楽譜画像４０は、音高軸（縦軸）と時間軸（横軸）とが設定された領域内に各指定音の音高の時間的な変化を提示する画像（ピアノロール画像）である。具体的には、指定音を図形化した音指示子４２が時系列に楽譜画像４０に配置される。表示制御部２４は、音符情報ＵNが指定する音高に応じて音指示子４２の音高軸の方向の位置を可変に設定し、音符情報ＵNが指定する開始点に応じて音指示子４２の時間軸の方向の位置を可変に設定する。時間軸の方向における音指示子４２のサイズは音符情報ＵNの継続長に応じて可変に設定される。また、文字情報ＵLが指定する発音文字（歌詞）と音声記号とが音指示子４２に重ねて配置される。
【００２１】
楽譜情報ＤSで規定される指定音の時系列のうち楽譜画像４０に音指示子４２が配置される区間は、入力装置１４に対する利用者からの指示に応じて変更（スクロール）される。利用者は、入力装置１４を適宜に操作することで楽譜画像４０から１個の音指示子４２（指定音）を選択して編集することが可能である。表示制御部２４は、利用者が選択した指定音の音指示子４２（図３では発音文字「さ」の音指示子４２）を他の音指示子４２とは相違する態様（色彩や階調）で表示する。
【００２２】
編集用図表５０は、記憶装置１２に記憶された楽譜情報ＤSを表形式で利用者に提示する画像であり、図４に示すように、相互に直交するＸ方向およびＹ方向に行列状に配列された複数の単位領域５２（セル）を含んで構成される。楽譜情報ＤSに含まれる制御情報（開始点，継続長，音高，発音文字，音声記号，素片識別子，素片属性）が各単位領域５２内に配置される。すなわち、楽譜画像４０では指定音の音符情報ＵNおよび文字情報ＵLの各制御情報が図形で模式的に表示されるのに対し、編集用図表５０では素片情報ＵVを含む楽譜情報ＤSの各制御情報が具体的な数値や文字として詳細に表示される。利用者は、所望の単位領域５２を選択して当該単位領域５２内の制御情報を変更することが可能である。
【００２３】
Ｘ方向に配列する複数の単位領域５２の集合（以下「行領域５４」という）は、楽譜情報ＤSが指定する１個の指定音（楽譜情報ＤS内の１個の単位情報Ｕ）に対応する。楽譜情報ＤSのうち１個の指定音に対応する複数種の制御情報が、当該指定音に対応する行領域５４内の各単位領域５２（編集用図表５０の１行分）に配置される。Ｙ方向に配列する各単位領域５２（編集用図表５０の１列分）には各指定音の同種の制御情報が時系列に配列される。
【００２４】
表示制御部２４は、楽譜情報ＤSで規定される指定音の時系列のうち楽譜画像４０で利用者が選択した指定音を含む所定個の指定音（例えば選択中の指定音と前後の所定個の指定音）の各々に対応する行領域５４を編集用図表５０に配置する。例えば、楽譜画像４０で表示中の区間内の各指定音について編集用図表５０に行領域５４を設定する構成や、楽譜画像４０で表示中の区間よりも広い範囲にわたる各指定音について編集用図表５０に行領域５４を設定する構成が採用され得る。表示制御部２４は、編集用図表５０のうち利用者が楽譜画像４０で選択した１個の音指示子４２の指定音に対応する行領域５４（図４では発音文字「さ」に対応する行領域５４）を他の行領域５４とは相違する態様（色彩や階調）で表示する。したがって、楽譜画像４０内の各音指示子４２と編集用図表５０内の各行領域５４との対応を利用者が容易に確認できるという利点がある。
【００２５】
情報管理部２６は、楽譜画像４０や編集用図表５０に対する利用者からの指示に応じて楽譜情報ＤSを随時に更新する。表示制御部２４は、情報管理部２６による楽譜情報ＤSの変更が反映されるように楽譜画像４０や編集用図表５０を随時に更新することで両画像の内容を相互に整合させる。楽譜情報ＤSの更新に関する情報管理部２６および表示制御部２４の具体的な動作を以下に例示する。
【００２６】
利用者は、入力装置１４を適宜に操作することで、楽譜画像４０内の各音指示子４２の編集（追加，変更，削除）を指示することが可能である。例えば利用者が音指示子４２の追加を指示すると、表示制御部２４は、利用者から指示された音指示子４２を楽譜画像４０に追加し、情報管理部２６は、当該音指示子４２に対応する指定音の単位情報Ｕを楽譜情報ＤSに追加する。表示制御部２４は、楽譜情報ＤSに追加された単位情報Ｕの各制御情報を単位領域５２に配置した行領域５４を編集用図表５０に追加する。
【００２７】
選択中の音指示子４２の変更を利用者が指示すると、表示制御部２４は、当該音指示子４２の位置やサイズを利用者からの指示に応じて変更し、情報管理部２６は、楽譜情報ＤSのうち当該音指示子４２に対応する指定音の単位情報Ｕを音指示子４２の変化に応じて変更する。表示制御部２４は、単位情報Ｕの変更に整合するように編集用図表５０内の各制御情報を更新する。
【００２８】
選択中の音指示子４２の削除を利用者が指示すると、表示制御部２４は、当該音指示子４２を楽譜画像４０から削除し、情報管理部２６は、当該音指示子４２に対応する指定音の単位情報Ｕを楽譜情報ＤSから削除する。表示制御部２４は、楽譜情報ＤSから削除された単位情報Ｕに対応する行領域５４を編集用図表５０から削除する。
【００２９】
以上に説明した楽譜画像４０の編集の指示に加えて、利用者は、編集用図表５０の所望の単位領域５２内の制御情報の編集（追加，変更，削除）を入力装置１４の操作で指示することが可能である。音符情報ＵNおよび文字情報ＵLの各制御情報の編集と素片情報ＵVの各制御情報の編集とに区分して各制御情報の編集の具体的な手順を以下に説明する。
【００３０】
［ａ］音符情報ＵNおよび文字情報ＵLの各制御情報の編集  
音符情報ＵNや文字情報ＵLの編集に適用される動作モードには固定モードと浮動モードとがある。固定モードでは、編集対象以外の制御情報の時間軸上の位置が編集の前後で維持され、浮動モードでは、制御情報の追加や編集に連動して以後の制御情報の時間軸上の位置が移動（繰下／繰上）する。情報管理部２６は、入力装置１４に対する利用者からの指示に応じて動作モードを可変に選択する。
【００３１】
以下の説明では、制御情報の追加が指示された場合と既存の制御情報の削除が指示された場合との各々について固定モードおよび浮動モードでの動作を例示する。また、以下の説明で参照する図５および図６では複数種の制御情報のうち発音文字の編集を便宜的に例示するが、発音文字以外の制御情報の編集も同様の手順で実行される。
【００３２】
［ａ1］制御情報の追加が指示された場合  
利用者は、入力装置１４を適宜に操作することで、編集用図表５０に対する所望の制御情報の追加を指示することが可能である。例えば、利用者が入力装置１４の操作で直接に入力した制御情報が編集用図表５０に追加され得る。また、編集用図表５０から利用者が選択した１個以上の単位領域５２に対応する既存の制御情報が編集用図表５０の他の単位領域５２に追加され得る。編集用図表５０内の既存の制御情報の追加には、編集用図表５０内の制御情報の複製（コピー＆ペースト）と移動（カット＆ペースト）とがある。利用者は、編集用図表５０の複数行（すなわち複数の指定音）にわたる単位領域５２の制御情報を複製または移動の対象として選択し得る。
【００３３】
固定モードで制御情報の追加が指示された場合、情報管理部２６は、楽譜情報ＤSのうち利用者が編集用図表５０にて選択した単位領域５２の制御情報を、利用者が追加を指示した制御情報に置換（上書）する。表示制御部２４は、情報管理部２６による楽譜情報ＤSの変更が反映されるように編集用図表５０を更新する。例えば、図５の部分(A)のように「あさがくる」という発音文字が存在する状況で利用者が「あさが」を指定して「ひるも」の追加を指示した場合、表示制御部２４は、図５の部分(B)に示すように「あさが」を「ひるも」に置換する。また、表示制御部２４は、楽譜情報ＤSの変更（編集用図表５０の変更）に対応するように楽譜画像４０を更新する。
【００３４】
他方、浮動モードで制御情報の追加が指示された場合、情報管理部２６は、楽譜情報ＤSのうち利用者が編集用図表５０から選択した単位領域５２の位置に、利用者が追加を指示した制御情報を挿入し、以後の各制御情報を今回の制御情報の追加分だけ繰下げる。表示制御部２４は、情報管理部２６による楽譜情報ＤSの変更が反映されるように編集用図表５０を更新する。例えば、図５の部分(A)の状況で利用者が「あさが」を指定して「ひるも」の追加を指示した場合、表示制御部２４は、図５の部分(C)に示すように「あさが」の直後に「ひるも」を挿入するとともに既存の「くる」を「ひるが」の直後に繰下げる。また、表示制御部２４は、楽譜情報ＤSの変更（編集用図表５０の変更）に対応するように楽譜画像４０を更新する。
【００３５】
以上のように浮動モードで制御情報が追加されると以後の制御情報が繰下げられるから、繰下げられた制御情報以外の制御情報を含まない単位情報Ｕが発生し得る。例えば、図４では、浮動モードでの発音文字の追加で繰下げられた発音文字「くる」の指定音の単位情報Ｕが音符情報ＵNおよび素片情報ＵVを含まない場合が例示されている。以上に例示した手順（固定モード，浮動モード）で発音文字が追加されると、情報管理部２６は、各発音文字に対応する音声記号を特定して文字情報ＵLに設定する。
【００３６】
［ａ2］制御情報の削除が指示された場合  
固定モードで制御情報の削除が指示された場合、情報管理部２６は、楽譜情報ＤSのうち利用者が編集用図表５０で削除の対象として選択した単位領域５２の制御情報を初期値に変更する。表示制御部２４は、情報管理部２６による楽譜情報ＤSの変更が反映されるように編集用図表５０を更新する。例えば、図６の部分(A)のように「あさがくる」という発音文字が存在する状況で利用者が「あさが」の削除を指示した場合、表示制御部２４は、図６の部分(B)に示すように、「あさが」の各発音文字を初期値「あ」に置換する。また、表示制御部２４は、編集用図表５０（楽譜情報ＤS）の変更に対応するように楽譜画像４０を更新する。
【００３７】
他方、浮動モードで制御情報の削除が指示された場合、情報管理部２６は、楽譜情報ＤSのうち利用者から指示された制御情報を削除するとともに以後の制御情報を今回の削除分だけ繰上げる。表示制御部２４は、情報管理部２６による楽譜情報ＤSの変更が反映されるように編集用図表５０を更新する。例えば、図６の部分(A)の状況で利用者が「あさが」の削除を指示した場合、表示制御部２４は、図６の部分(C)に示すように、「あさが」を削除するとともに以後の「くる」を繰上げる。また、表示制御部２４は、編集用図表５０（楽譜情報ＤS）の変更に対応するように楽譜画像４０を更新する。
【００３８】
［ｂ］素片情報ＵVの各制御情報（素片属性）の編集  
編集用図表５０のうち素片情報ＵVの素片属性（音高，音量，発声者）に対応する単位領域５２を利用者が選択した場合、表示制御部２４は、図７に例示するように、素片属性の複数の選択肢を配列したリスト５６を、利用者が選択した単位領域５２（図７では「音量」の単位領域５２）の近傍に表示する。素片群ＤVに実際に含まれる素片データｄの素片属性が選択肢としてリスト５６に配列される。利用者は、入力装置１４の操作で複数の選択肢の何れかをリスト５６から選択することが可能である。情報管理部２６は、楽譜情報ＤSのうち利用者が選択した単位領域５２に対応する素片属性を、利用者がリスト５６から選択した選択肢の内容に変更する。表示制御部２４は、情報管理部２６による楽譜情報ＤSの変更が反映されるように編集用図表５０内の素片属性を更新する。
【００３９】
以上に説明したように、本実施形態では、楽譜情報ＤSに含まれる各制御情報が編集用図表５０として表形式で表示されるとともに利用者からの指示に応じて更新される。したがって、利用者は、楽譜情報ＤSの詳細な内容を効率的に確認しながら編集することが可能である。また、編集用図表５０とともに表示される楽譜画像４０を視認することで、指定音の時系列の概略を利用者が直感的に把握できるという利点もある。
【００４０】
さらに、編集用図表５０の複数の単位領域５２にわたる制御情報が一括的に複製または移動されるから、楽譜画像４０の各音指示子４２に対する指示で個々の指定音の制御情報を個別に編集する場合と比較して楽譜情報ＤSを効率的に編集できるという利点もある。
【００４１】
＜Ｂ：第２実施形態＞
次に、本発明の第２実施形態を説明する。なお、以下の各例示において作用や機能が第１実施形態と同等である要素については、以上の説明で参照した符号を流用して各々の詳細な説明を適宜に省略する。
【００４２】
図８は、第２実施形態における編集用図表５０の模式図である。図８から理解されるように、第２実施形態の楽譜情報ＤS内の文字情報ＵLは、第１実施形態と同様の発音文字および音声記号に加えて音声管理情報を含んで構成される。音声管理情報は、音声記号の変更の許可／禁止を指定する制御情報である。図８に示すように、編集用図表５０は、音声管理情報が配置された単位領域５２を指定音毎（行領域５４毎）に含んで構成される。図８の例示では、音声記号の変更の禁止を指定する音声管理情報が記号「ｖ」で表現されている。音声記号の変更の許可を指定する音声管理情報は空欄である。
【００４３】
固定モードで発音文字（制御情報）の追加が指示された場合、情報管理部２６は、利用者が編集用図表５０で選択した単位領域５２の既存の発音文字を追加の制御情報に置換（上書）し、各発音文字に対応する音声記号を、置換後の文字情報に対応する音声記号に更新する。ただし、音声管理情報が禁止を指定する指定音については、発音文字が変更された場合でも音声記号を編集前の内容に維持する。
【００４４】
例えば、図９の部分(A)のように、「あさがひるが」という発音文字のうち「る」の指定音の音声管理情報が禁止（記号ｖ）を指定し、他の指定音の音声管理情報が許可を指定する場合を想定する。図９の部分(A)のように、固定モードで利用者が発音文字「あさが」を選択して「ひるが」の位置に追加（複製）する指示を付与すると、情報管理部２６は、図９の部分(B)に示すように、楽譜情報ＤSの「ひるが」を「あさが」に置換し、置換前の「ひ」の音声記号「ｃｉ」を置換後の「あ」の音声記号「ａ」に更新する。発音文字「が」は変化しないから音声記号も更新されない。他方、置換前の「る」については音声管理情報が禁止を指定するから、情報管理部２６は、図９の部分(A)の「る」を部分(B)の「さ」に置換するにも関わらず、音声記号を置換前の「る」の音声記号「４Ｍ」に維持する（斜線部分）。以上の楽譜情報ＤSの変更が反映されるように表示制御部２４は楽譜画像４０および編集用図表５０を更新する。
【００４５】
なお、図９では利用者が発音文字「あさが」のみを選択した場合を例示したが、図１０の部分(A)のように、「あさが」の発音文字および音声記号の双方を利用者が選択して追加を指示した場合、情報管理部２６は、貼付先となる「ひるが」の音声管理情報の内容に関わらず、図１０の部分(B)に示すように、「ひるが」の発音文字と音声記号と音声管理情報とを「あさが」の発音文字と音声記号と音声管理情報とに変更する。すなわち、「ひ」の音声記号「ｃｉ」が「あ」の音声記号「ａ」に置換されるとともに「る」の音声記号「４Ｍ」が「さ」の音声記号「ｓａ」に置換される。
【００４６】
楽譜情報ＤS内の音声管理情報の内容は、編集用図表５０に対する利用者からの指示に応じて、音声記号の変更の許可および禁止の一方から他方に変更される。利用者は、例えば、編集用図表５０の各単位領域５２を個別に選択して音声管理情報を変更する作業や、編集用図表５０の複数の単位領域５２（列）を同時に選択して複数の指定音の音声管理情報を一括的に変更する作業を指示することが可能である。音声管理情報が禁止から許可に変更されると、当該指定音の音声記号は発音文字に応じた内容に更新される。例えば、図９の部分(B)の状態で禁止を指定している音声管理情報（第２番目の発音文字「さ」の音声管理情報）が許可に変更されると、当該音声管理情報に対応する音声記号「４Ｍ」は、発音文字「さ」に対応する本来の音声記号「ｓａ」に自動的に更新される。
【００４７】
以上に説明した第２実施形態でも第１実施形態と同様の効果が実現される、また、第２実施形態では、音声管理情報が音声記号の変更の禁止を指定する指定音については発音文字が変更された場合でも音声記号は維持されるから、所望の音声記号を固定したまま楽譜情報ＤSを編集できるという利点がある。
【００４８】
＜Ｃ：第３実施形態＞
図１１は、第３実施形態における編集用図表５０の模式図である。図１１から理解されるように、第３実施形態の楽譜情報ＤS内の素片情報ＵVは、第１実施形態と同様の素片識別子および素片属性（音高，音量，発声者）に加えて波形管理情報を含んで構成される。波形管理情報は、音声素片の波形の表示／非表示を指定する制御情報である。図１１に示すように、編集用図表５０は、波形管理情報が配置された単位領域５２を素片情報ＵV毎に含んで構成される。図１１の例示では、音声素片の波形の表示を指定する波形管理情報が記号「ｖ」で表現されている（非表示の波形管理情報は空欄）。
【００４９】
波形管理情報の内容は、編集用図表５０に対する利用者からの指示に応じて、表示および非表示の一方から他方に変更される。利用者は、例えば、編集用図表５０の各単位領域５２を個別に選択して波形管理情報を変更する作業や、編集用図表５０の複数の単位領域５２（列）を同時に選択して複数の指定音の波形管理情報を一括的に変更する作業を指示することが可能である。
【００５０】
表示制御部２４は、第１実施形態と同様の楽譜画像４０および編集用図表５０に加えて図１２の波形画像６０を表示装置１６に表示させる。図１２に示すように、波形画像６０は、素片情報ＵVの波形管理情報が表示を指定する音声素片毎に、当該音声素片の素片データｄが示す波形６２を配置した画像である。図１２では、波形管理情報が表示を指定する３個の音声素片（Sil-ａ，ａ-ｓ，ｓ-ａ）の波形６２を波形画像６０に並列に配置した場合が例示されている。
【００５１】
情報管理部２６は、波形画像６０に対する利用者からの指示に応じて音声素片の波形６２（素片データｄ）を調整する。例えば、情報管理部２６は、音声素片の波形６２のうち指定音の合成に使用される範囲（例えば通常の合成で使用される基準範囲や長音の合成時に使用される最大範囲や短音の合成時に使用される最小範囲）や，音声素片の音量の変化（時間軸上の包絡線）や，音声素片の波形６２のうち前後の音声素片と重なる範囲を、入力装置１４に対する利用者からの指示に応じて可変に設定する。音響生成部２２は、情報管理部２６による波形の調整後の素片データｄを利用して音響信号ＳOUTを生成する。
【００５２】
以上に説明した第３実施形態でも第１実施形態と同様の効果が実現される。また、第３実施形態では、表示管理情報で指定される音声素片の波形６２が表示装置１６に表示されるとともに利用者からの指示に応じて編集されるから、利用者は、指定音の合成に実際に使用される音声素片の波形６２を詳細に確認しながら自身の所望の特性に効率的に調整することが可能である。なお、音声管理情報を利用する第２実施形態と波形管理情報を利用する第３実施形態とは併合され得る。
【００５３】
なお、楽譜情報ＤSを構成する制御情報（編集用図表５０にて表示される制御情報）は以上の各形態での例示（指定音の開始点，継続長，音高，発音文字，音声記号，音声管理情報，素片識別子，素片属性，波形管理情報）に限定されない。本発明に適用される楽譜情報ＤSは、指定音の合成に適用される情報を含む複数種の制御情報を時系列に配列した情報として包括される。
【００５４】
また、編集用図表５０の形態は以上の各形態での例示に限定されない。例えば、Ｘ方向（横方向）を時間軸として各制御情報を配列した編集用図表５０も採用され得る。また、楽譜情報ＤSの編集用の音響処理装置１００（情報編集装置）では音響生成部２２が省略される。
【符号の説明】
【００５５】
１００……音響処理装置、１０……演算処理装置、１２……記憶装置、１４……入力装置、１６……表示装置、１８……放音装置、２２……音響生成部、２４……表示制御部、２６……情報管理部、４０……楽譜画像、４２……音指示子、５０……編集用図表、５２……単位領域、５４……行領域、５６……リスト、６０……波形画像、６２……波形。
【図１】
2011221423.tif 000003
【図２】
2011221423.tif 000004
【図３】
2011221423.tif 000005
【図４】
2011221423.tif 000006
【図５】
2011221423.tif 000007
【図６】
2011221423.tif 000008
【図７】
2011221423.tif 000009
【図８】
2011221423.tif 000010
【図９】
2011221423.tif 000011
【図１０】
2011221423.tif 000012
【図１１】
2011221423.tif 000013
【図１２】
2011221423.tif 000014